(57)【要約】【課題】本発明は、旅行や出張などで場所を移動した場合においても、迅速に地域に応じた受信周波数をプリセットし、当該受信周波数のラジオ放送を簡単に受信することが可能なラジオ付き携帯電話機を提供することを目的とする。【解決手段】放送を受信する放送受信部を有する携帯電話機１００であって、基地局の位置情報と前記位置情報の示す地域において受信可能な放送局の受信周波数とを対応付けて記憶しているメモリ１０６と、基地局の位置情報を取得し、取得した基地局の位置情報がメモリ１０６に記憶されているか否かを判定し、取得した前記位置情報が記憶されている場合に、取得した前記位置情報に対応する受信周波数を読出し、前記放送受信部に当該受信周波数の放送を受信させるように指示する制御部１０５とを備える。【選択図】 図１
2005223701.tif 000002
【特許請求の範囲】
【請求項１】
放送を受信する放送受信部を有する携帯電話機であって、
基地局の位置情報と前記位置情報の示す地域において受信可能な放送局の受信周波数とを対応付けて記憶している記憶手段と、
基地局の位置情報を取得する位置情報取得手段と、
取得した基地局の位置情報が前記記憶手段に記憶されているか否かを判定する判定手段と、
取得した前記位置情報が記憶されている場合に、取得した前記位置情報に対応する受信周波数を読出し、前記放送受信部に当該受信周波数の放送を受信させるように指示する受信制御手段と
を備えることを特徴とする携帯電話機。
【請求項２】
前記受信制御手段は、取得した前記位置情報が記憶されていない場合に、
受信可能な放送局の受信周波数を検出するオートプリセット処理を行なう周波数検出手段と、
検出した前記受信周波数を、取得した前記位置情報とを対応付けて前記記憶手段に登録する登録手段と
を有し、
前記受信制御手段は、取得した前記位置情報が記憶されていない場合に、前記受信部に、検出した受信周波数の放送を受信させるように指示する
ことを特徴とする請求項１記載の携帯電話機。
【請求項３】
前記携帯電話機は、国又は地域を特定するエリア情報と当該エリア情報によって特定される国又は地域において、放送を受信できる周波数範囲との対応関係を示す周波数範囲対応テーブルを取得するテーブル取得手段と、
エリア情報の指示を受け取る指示受取手段と
を有し、
前記周波数検出手段は、指示されたエリア情報に対応付けられている周波数範囲において、前記オートプリセット処理を行なう
ことを特徴とする請求項２記載の携帯電話機。
【請求項４】
前記周波数範囲対応テーブルは、前記エリア情報と前記周波数範囲と当該エリア情報によって特定される国又は地域における音声ディエンファシス量との対応関係を示し、
前記携帯電話機は、音声を出力する音声出力手段を有し、
前記音声出力手段は、指示されたエリア情報に対応付けられている音声ディエンファシス量に基づいて、受信指示された放送の音声信号のディエンファシスを行って音声出力する
ことを特徴とする請求項３記載の携帯電話機。
【請求項５】
前記携帯電話機はさらに、前記受信制御手段によって受信周波数が読出される毎に、最後に読出された時刻を当該受信周波数に対応するエリア番号に対応付けて前記記憶手段に記録する読出時刻記録手段と、
各エリア番号に対応する最後に読出された時刻を一定時間間隔で監視する監視手段と、
最後に読出された時刻が、監視時における時刻よりも所定時間以上前であることを示しているエリア番号に係る受信回数の登録を前記記憶手段から削除する登録削除手段と
を備えることを特徴とする請求項２記載の携帯電話機。
【請求項６】
前記携帯電話機はさらに、
前記受信制御手段によって受信周波数が読出される毎に、読出回数を更新し、更新した読出回数を読出された受信回数に対応するエリア番号に対応付けて前記記憶手段に記録する読出回数記録手段と、
所定時間内における各エリア番号に対応する読出回数を監視する監視手段と、
監視された読出回数が所定回数より少ない場合に、当該読出回数に対応するエリア番号に係る受信回数の登録を前記記憶手段から削除する登録削除手段と
を備えることを特徴とする請求項２記載の携帯電話機。
【請求項７】
前記監視手段は、前記記憶手段のメモリ容量が無くなったか否かを監視し、
前記登録削除手段は、メモリ容量が無くなった場合に限り、前記受信回数の登録を前記記憶手段から削除する
ことを特徴とする請求項５又は６記載の携帯電話機。
【請求項８】
前記位置情報は、基地局が属する呼出エリアの位置情報である
ことを特徴とする請求項１〜７の何れかに記載の携帯電話機。
【請求項９】
前記放送は、ラジオ放送である
ことを特徴とする請求項１〜８の何れかに記載の携帯電話機。
【発明の詳細な説明】
【技術分野】
【０００１】
本発明は、ラジオ付き携帯電話機に関し、特に受信周波数をプリセットするための技術に関する。
【背景技術】
【０００２】
近年、携帯電話機の急速な多機能化に伴い、ラジオ受信装置を有する携帯電話機が利用できるようになってきた。
ラジオ受信装置には、周波数の選局を簡易化するため、予めスキャン又はシーク等の周波数掃引による受信局探索機能を用いて受信信号を検知し、信号レベルが所定値を上回った場合、掃引を一時中止してその時の受信周波数 に対応した周波数 データをメモリに記憶し、再び掃引を開始して受信信号を検知して行くというオートプリセット機能が具備されている。
【０００３】
これにより、ユーザーは、オートプリセット機能を実行することにより、予めメモリに記憶されている周波数を選局することにより、容易に所望の放送局の放送を受信して、聴くことができる。
上記オートプリセットに要する時間を短縮化して、簡易にオートプリセットを行なうための技術が特許文献１に開示されている。
【特許文献１】特開平11-88123
【発明の開示】
【発明が解決しようとする課題】
【０００４】
しかしながら、受信周波数は、地域や国によって異なるため、旅行先や出張先や移動中にラジオを聴く場合には、受信場所が変わる毎に、オートプリセットを繰り返さなければならず、ラジオを受信できるようになるまでに時間を要するという問題が生じる。
又、既に受信周波数がプリセットによりメモリに記憶されている場合においても、該当する受信周波数をセットするために、現在位置の属する地域を指定する必要があるため、海外にいて、現在位置がよくわからないような場合には、現在位置が特定できず、プリセットされている正しい受信周波数を読み出すのに手間がかかるという問題が生じる。
【０００５】
上記課題を解決するために、本発明は、旅行や出張などで場所を移動した場合においても、迅速に地域に応じた受信周波数をプリセットし、当該受信周波数のラジオ放送を簡単に受信することが可能なラジオ付き携帯電話機を提供することを目的とする。
【課題を解決するための手段】
【０００６】
上記課題を解決するために、本発明は、放送を受信する放送受信部を有する携帯電話機であって、基地局の位置情報と前記位置情報の示す地域において受信可能な放送局の受信周波数とを対応付けて記憶している記憶手段と、基地局の位置情報を取得する位置情報取得手段と、取得した基地局の位置情報が前記記憶手段に記憶されているか否かを判定する判定手段と、取得した前記位置情報が記憶されている場合に、取得した前記位置情報に対応する受信周波数を読出し、前記放送受信部に当該受信周波数の放送を受信させるように指示する受信制御手段とを備える。
【発明の効果】
【０００７】
本発明は、上記の構成を備えることにより、位置情報の示す地域において受信可能なラジオ放送局の受信周波数が当該位置情報と対応付けて記録されている場合には、当該位置情報が取得されると、即座に当該位置情報の示す地域における各ラジオ放送局の受信周波数を設定し、当該受信周波数のラジオ放送を受信することができるので、ユーザーは、移動先に移動する毎にラジオ放送局の受信周波数の設定の操作を繰り返すという面倒な作業を行なう必要なく、簡易かつ迅速に移動先で所望のラジオ放送局の放送を受信することができる。
【０００８】
ここで、前記受信制御手段は、取得した前記位置情報が記憶されていない場合に、受信可能な放送局の受信周波数を検出するオートプリセット処理を行なう周波数検出手段と、検出した前記受信周波数を、取得した前記位置情報とを対応付けて前記記憶手段に登録する登録手段とを有し、前記受信制御手段は、取得した前記位置情報が記憶されていない場合に、前記受信部に、検出した受信周波数の放送を受信させるように指示することとしてもよい。
【０００９】
これにより、はじめて訪れた地域に移動した場合には、その都度当該地域で受信可能なラジオ放送局の受信周波数が当該地域を示す位置情報と対応付けて携帯電話機に登録されるので、ユーザーの活動エリア内における、受信可能なラジオ放送局の受信周波数を活動地域毎に対応付けて携帯電話機に登録することができ、ユーザーが一度訪れた地域を再訪問する場合には、既に当該地域において受信可能なラジオ放送局の受信周波数は、携帯電話機に当該地域と対応付けて登録されているので、当該地域において、容易に所望のラジオ放送を受信することができる。
【００１０】
ここで、前記携帯電話機は、国又は地域を特定するエリア情報と当該エリア情報によって特定される国又は地域において、放送を受信できる周波数範囲との対応関係を示す周波数範囲対応テーブルを取得するテーブル取得手段と、エリア情報の指示を受け取る指示受取手段とを有し、前記周波数検出手段は、指示されたエリア情報に対応付けられている周波数範囲において、前記オートプリセット処理を行なうこととしてもよい。
【００１１】
これにより、位置情報の示す地域が属する国において利用可能な周波数範囲に応じてオートプリセット処理を行なうことができるので、当該地域において利用不能の周波数範囲において、無駄なオートプリセット処理を行なうことなく、迅速に当該地域において受信可能なラジオ放送局の受信周波数を検出することができる。
ここで、前記周波数範囲対応テーブルは、前記エリア情報と前記周波数範囲と当該エリア情報によって特定される国又は地域における音声ディエンファシス量との対応関係を示し、前記携帯電話機は、音声を出力する音声出力手段を有し、前記音声出力手段は、指示されたエリア情報に対応付けられている音声ディエンファシス量に基づいて、受信指示された放送の音声信号のディエンファシスを行って音声出力することとしてもよい。
【００１２】
これにより、位置情報の示す地域が属する国における音声ディエンファシス量に基づいて、ラジオ放送の音声信号のディエンファシスを行なうことができるので、ユーザーは、音質のよいラジオ放送を聴くことができる。
ここで、前記携帯電話機はさらに、前記受信制御手段によって受信周波数が読出される毎に、最後に読出された時刻を当該受信周波数に対応するエリア番号に対応付けて前記記憶手段に記録する読出時刻記録手段と、各エリア番号に対応する最後に読出された時刻を一定時間間隔で監視する監視手段と、最後に読出された時刻が、監視時における時刻よりも所定時間以上前であることを示しているエリア番号に係る受信回数の登録を前記記憶手段から削除する登録削除手段とを備えることとしてもよい。
【００１３】
これにより、ユーザーにとって必要性の少ない地域におけるＦＭラジオ放送局の受信周波数を優先して削除することができるので、必要性の少ない受信周波数を記録するためにメモリ容量が無駄に浪費されるのを有効に防止することができる。
ここで、前記携帯電話機はさらに、前記受信制御手段によって受信周波数が読出される毎に、読出回数を更新し、更新した読出回数を読出された受信回数に対応するエリア番号に対応付けて前記記憶手段に記録する読出回数記録手段と、所定時間内における各エリア番号に対応する読出回数を監視する監視手段と、監視された読出回数が所定回数より少ない場合に、当該読出回数に対応するエリア番号に係る受信回数の登録を前記記憶手段から削除する登録削除手段とを備えることとしてもよい。
【００１４】
これにより、ユーザーが訪れる頻度の少ない地域におけるＦＭラジオ放送局の受信周波数を優先して削除することができるので、使用頻度の少ない受信周波数を記録するためにメモリ容量が無駄に浪費されるのを防ぐことができる。
ここで、前記監視手段は、前記記憶手段のメモリ容量が無くなったか否かを監視し、前記登録削除手段は、メモリ容量が無くなった場合に限り、前記受信回数の登録を前記記憶手段から削除することとしてもよい。
【００１５】
これにより、ユーザーにとって必要性の少ない受信周波数に関する記録から優先的に削除されるので、メモリ容量がなくなった場合に、ユーザーにとって必要度の高い受信周波数に関する記録が削除されることなく、必要なメモリ容量を確保することができる。
【発明を実施するための最良の形態】
【００１６】
＜構成＞
図１は、本発明の実施の形態における携帯電話機１００の構成を示す機能ブロック図である。携帯電話機１００は、図１に示す通り、アンテナ１０１、無線部１０２、操作部１０３、表示部１０４、制御部１０５、メモリ１０６、音声処理部１０７、マイク１０８、スピーカー１０９、イヤホンジャック１１０、イヤホン１１１、ラジオ受信部１１２、電界強度測定部１１３、ラジオ受信アンテナ１１４から構成される。
【００１７】
無線部１０２は、アンテナ１０１を介して基地局（図外）から送信された報知メッセージや音声信号や文字データ、画像データを含む通信信号を受信し、復調処理して、制御部１０５に出力し、制御部１０５より入力される制御データや音声データ、文字データ、画像データなどの各種データを変調処理し、アンテナ１０１を介して基地局に送信する。
ここで、「報知メッセージ」とは、第二世代コードレス電話システム標準規格ＲＣＲ−ＳＴＤ−２８（ＲＥＳＥＡＲＣＨ ＡＮＤ ＤＥＶＥＬＯＰＭＥＮＴ ＲＡＤＩＯ ＳＹＳＴＥＭ ＳＴＡＮＤＡＲＤ−２８）に規定された報知メッセージのことをいい、報知メッセージには、送信元の基地局を識別する基地局識別子、当該基地局が属する国を通知するための国番号、当該基地局が属する呼出エリアを識別するためのエリア番号（以下、「エリア番号」という。）などが含まれている。
【００１８】
操作部１０３は、ユーザーからの各種指示を受取り、制御部１０５に出力する。例えば、ユーザーからローミングを開始するための渡航先の国や地域を特定するエリア情報の指示や選局すべき放送局の周波数の指示を受取り、制御部１０５に出力する。
表示部１０４は、制御部１０５より入力された文字データ、画像データに基づいて、文字や画像を表示する。
【００１９】
メモリ１０６は、放送局検出限界値、国別周波数範囲対応テーブル、プリセット周波数登録テーブルなどを記憶している。
ここで、「放送局検出限界値」とは、後述する制御部１０５の行なうオートプリセット処理において、プリセットした受信周波数をプリセット周波数登録テーブルに、プリセット受信周波数として登録するか否かの判定基準となる受信信号の電界強度の閾値のことをいう。
又、「国別周波数範囲対応テーブル」とは、国及び地域別における、ＦＭラジオ放送局の周波数帯域範囲（以下、「周波数範囲」という。）とＦＭラジオ放送局をサーチするための周波数の変更幅を示すステップ周波数と音声ディエンファシス量との対応関係を示すテーブルのことをいう。
【００２０】
ここで、「音声ディエンファシス量」とは、ＦＭラジオ放送において、音質を高めるために高められた送信信号の高域周波数を、受信側で元にもどすためのディエンファシスを行なうために用いるディエンファシス定数のことをいう。ディエンファシス定数としては、国及び地域によって５０μＳと７５μＳの２種類のうちの何れかが用いられている。
図２は、国別周波数範囲対応テーブルの具体例を示す。
又、「プリセット周波数登録テーブル」とは、エリア番号と当該エリア番号の示す地域において、受信できる各ＦＭラジオ放送局の受信周波数との対応関係を示すテーブルのことをいう。
【００２１】
図３は、プリセット周波数登録テーブルの具体例を示す。
音声処理部１０７は、ラジオ受信部１１２より入力された音声信号を、制御部１０５より指示された音声ディエンファシス量に基づいて、ディエンファシスし、Ｄ／Ａ変換してイヤホンジャック１１０を介してイヤホン１１１に出力し、マイク１１０から入力された音声信号をＡ／Ｄ変換して制御部１０５に出力する。
【００２２】
又、音声処理部１０７は、制御部１０５から入力された音声データをＤ／Ａ変換してスピーカー１０９に出力する。
ラジオ受信部１１２は、制御部１０５から指示された受信周波数のＦＭ電波をラジオ受信アンテナ１１４を介して受信し、電界強度測定部１１３及び音声処理部１０７に出力する。
【００２３】
電界強度測定部１１３は、ラジオ受信部１１２から入力されたＦＭ電波の電界強度を測定し、測定結果を制御部１０５に出力する。
制御部１０５は、マイクロプロセッサとＲＯＭ（Read Only Memory）及びＲＡＭ（Random Access Memory）、などから構成され、ＲＯＭに格納されている制御プログラムに従って、以下に示すラジオ放送受信前処理、オートプリセット処理、及びラジオ放送受信処理の各処理を行う。
＜動作＞
（ラジオ放送受信前処理）
図４は、制御部１０５の行なうラジオ放送受信前処理の動作を示すフローチャートである。以下、図４を参照して上記動作について説明する。
制御部１０５は、操作部１０３を介して、ユーザーからエリア情報の指示を受取り（ステップＳ４０１）、さらに、操作部１０３を介してユーザーからプリセット起動指示を受取ると（ステップＳ４０２：Ｙ）、位置登録している基地局より送信される報知メッセージを無線部１０２を介して取得し、報知メッセージからエリア番号を取得し（ステップＳ４０３）、メモリ１０６に記憶されているプリセット周波数登録テーブルを参照して、取得したエリア番号がプリセット周波数登録テーブルに登録されているか否かを判定する（ステップＳ４０４）。
【００２４】
登録されていない場合（ステップＳ４０４：Ｎ）、制御部１０５は、メモリ１０６に記憶されている国別周波数範囲対応テーブルを参照して、受取ったエリア情報に対応付けられている周波数範囲を特定し（ステップＳ４０５）、後述するオートプリセット処理を行い（ステップＳ４０６）、オートプリセット処理によって検出された各ＦＭラジオ放送局の受信周波数を取得したエリア番号と対応付けて、プリセット周波数登録テーブルに登録する（ステップＳ４０７）。
【００２５】
ステップＳ４０４において、取得したエリア番号がプリセット周波数登録テーブルに登録されている場合（ステップＳ４０４：Ｙ）、制御部１０５は、ラジオ放送受信前処理を終了する。
（オートプリセット処理）
図５は、制御部１０５の行なうオートプリセット処理の動作を示すフローチャートである。以下、図５を参照して、上記動作について説明する。
制御部１０５は、受信周波数を図４のステップＳ４０４において特定した周波数範囲の下限値に設定し（ステップＳ５０１）、ラジオ受信部１１２に設定した受信周波数でのＦＭ電波の受信を指示し、受信を指示したＦＭ電波の電界強度の測定値が電界強度測定部１１２から入力されると、入力された測定値がメモリ１０６に記憶されている放送局検出限界値を超えているか否かにより、ＦＭラジオ放送局の受信周波数が検出されたか否かを判定する（ステップＳ５０２）。
【００２６】
入力された測定値が放送局検出限界値を超えており、ＦＭラジオ放送局の受信周波数が検出されたと判定された場合（ステップＳ５０２：Ｙ）、検出された受信周波数をメモリ１０６に記録し（ステップＳ５０３）、ラジオ受信部１１２に指示した受信周波数が特定した周波数範囲の上限値以上であるか否かを判定する（ステップＳ５０４）。
ラジオ受信部１１２に指示した受信周波数が特定した周波数範囲の上限値以上でない場合（ステップＳ５０４：Ｎ）、制御部１０５は、メモリ１０６に記憶されている国別周波数範囲対応テーブルを参照して、図４のステップＳ４０１で受取ったエリア情報に対応付けられているステップ周波数を特定し、当該受信周波数を特定したステップ周波数分だけ増加させ（ステップＳ５０５）、ラジオ受信部１１２に増加させた受信周波数でのＦＭ電波の受信を指示し、ステップＳ５０２の処理に移行する。
【００２７】
ステップＳ５０４において、ラジオ受信部１１２に指示した受信周波数が特定した周波数範囲の上限値以上である場合（ステップＳ５０４：Ｙ）、制御部１０５は、オートプリセット処理を終了する。
（ラジオ放送受信処理）
図６は、制御部１０５の行なうラジオ放送受信処理の動作を示すフローチャートである。以下、図６を参照して、上記動作について説明する。
制御部１０５は、操作部１０３を介してユーザーからラジオ受信指示を受取ると（ステップＳ６０１）、位置登録している基地局から送信される報知メッセージを無線部１０２を介して取得し、取得した報知メッセージからエリア番号を取得することにより、エリア番号を特定し（ステップＳ６０２）、当該エリア番号がメモリ１０６に記憶されているプリセット周波数登録テーブルに登録されているか否かを判定する（ステップＳ６０３）。
【００２８】
登録されていない場合（ステップＳ６０３：Ｎ）、制御部１０５は、特定したエリア番号に対応する各ＦＭラジオ放送局の受信周波数をプリセット周波数登録テーブルから読出し、詠出した各受信周波数の受信指示を周波数の小さい順に操作部１０３のテンキー（図外）に割り当てる（ステップＳ６０４）。具体的には、テンキーの１番がユーザーによって押下された場合には、周波数の最小の受信周波数の受信指示をラジオ受信部１１２に出力し、テンキーの２番が押下された場合には、周波数が２番目に小さい受信周波数の受信指示をラジオ受信部１１２に出力するというように、テンキーと受信指示する受信周波数とを対応付ける。
【００２９】
次に、操作部１０３のテンキーを介して、ユーザーからの受信周波数の指示を受取ると（ステップＳ６０５：Ｙ）、制御部１０５は、ラジオ受信部１１２に指示された受信周波数のＦＭ電波の受信を指示し（ステップＳ６０６）、メモリ１０６に記憶されている国別周波数範囲対応テーブルを参照して、図４のステップＳ４０１において受取ったエリア情報に対応付けられている音声ディエンファシス量を特定し、音声処理部１０７に特定した音声ディエンファシス量を指示し（ステップＳ６０７）、無線部１０２を介して受取った報知メッセージから取得したエリア番号が変更されたか否かを監視する（ステップＳ６０８）。
【００３０】
変更された場合には（ステップＳ６０８：Ｙ）、ステップＳ６０２の処理に移行し、変更されていない場合には（ステップＳ６０８：Ｎ）、制御部１０５は、操作部１０３を介してユーザーからラジオ受信終了指示を受取ったか否かを判定し（ステップＳ６０９）、受取らなかった場合（ステップＳ６０９：Ｎ）、ステップＳ６０５の処理に移行する。
ステップＳ６０５において、ユーザーからの受信周波数の指示を受取らなかった場合（ステップＳ６０５：Ｎ）、ステップＳ６０９の処理に移行する。
ステップＳ６０３において、特定したエリア番号がメモリ１０６に記憶されているプリセット周波数登録テーブルに登録されている場合（ステップＳ６０３：Ｙ）、制御部１０５は、オートプリセット処理を行い（ステップＳ６１０）、オートプリセット処理によって検出された各ＦＭラジオ放送局の受信周波数を取得したエリア番号と対応付けて、プリセット周波数登録テーブルに登録するとともに、検出された各受信周波数の受信指示を周波数の小さい順に操作部１０３のテンキー（図外）に割り当て（ステップＳ６１１）、ステップＳ６０５の処理に移行する。
＜補足＞
以上、本発明に係る携帯電話機１００について、実施の形態に基づいて説明したが、本発明はこれら実施の形態に限られないことは勿論である。
（１）例えば、本実施の形態においては、携帯電話機１００は、ＦＭ電波についてラジオ放送受信前処理、オートプリセット処理、ラジオ受信処理を行なうとしたが、ＡＭ電波についてもそれぞれ同様の処理を行なうこととしてもよい。
（２）又、本実施の形態においては、基地局から送信される報知メッセージに含まれるエリア番号単位でオートプリセット処理を行い、オートプリセット処理によって検出された各ＦＭラジオ放送局の受信周波数をプリセット周波数登録テーブルに登録することとしたが、エリア番号単位でなく、報知メッセージに含まれる基地局識別子単位で行なうこととしてもよい。
【００３１】
具体的には、報知メッセージに含まれる基地局識別子が変わる毎に、オートプリセット処理を行い、オートプリセット処理によって検出された各ＦＭラジオ放送局の受信周波数を基地局識別子と対応付けてプリセット周波数登録テーブルに登録することとしてもよい。
（３）又、本実施の形態においては、携帯電話機１００のメモリ１０６が国別周波数範囲テーブルを記憶していることとしたが、国別周波数範囲テーブルを外部のサーバが記憶し、インターネット経由で取得することとしてもよい。
（４）又、本実施の形態においては、エリア情報は、ユーザー入力により取得することとしたが、エリア情報を報知メッセージに含めて、報知メッセージから取得することとしてもよい。
（５）又、プリセット周波数登録テーブルから受信周波数を読み出す毎に、制御部１０５が読出し時刻を取得して、エリア番号に対応付けてプリセット周波数登録テーブルに記録することとし、さらに制御部１０５が各読出し時刻を一定時間間隔で監視し、最後に読出した時刻から所定時間以上経過したエリア番号の受信周波数をプリセット周波数登録テーブルから削除することとしてもよい。
【００３２】
これにより、ユーザーにとって必要性の少ない地域におけるＦＭラジオ放送局の受信周波数を優先して削除することができるので、必要性の少ない受信周波数を記録するためにメモリ容量が無駄に浪費されるのを有効に防止することができる。
（６）又、プリセット周波数登録テーブルから受信周波数を読み出す毎に、制御部１０５が、読出回数を更新し、更新した読出回数を読み出した受信周波数に対応するエリア番号と対応付けてプリセット周波数登録テーブルに記録して、所定時間内における読出回数が所定の回数よりも少ないか否かを監視し、少ない場合に当該エリア番号の受信周波数をプリセット周波数テーブルから削除することとしてもよい。
【００３３】
これにより、ユーザーが訪れる頻度の少ない地域におけるＦＭラジオ放送局の受信周波数を優先して削除することができるので、使用頻度の少ない受信周波数を記録するためにメモリ容量が無駄に浪費されるのを防ぐことができる。
（７）又、制御部１０５は、メモリ容量がなくなったか否かの監視を行い、メモリ容量が無くなった場合に限り、（５）及び（６）における上記削除を行なうこととしてもよい。
【００３４】
これにより、ユーザーにとって必要性の少ない受信周波数に関する記録から優先的に削除されるので、メモリ容量がなくなった場合に、ユーザーにとって必要度の高い受信周波数に関する記録が削除されることなく、必要なメモリ容量を確保することができる。
（８）又、本実施の形態においては、携帯電話機１００は、ラジオ放送についてラジオ放送受信前処理、オートプリセット処理、ラジオ受信処理を行なうとしたが、テレビ放送についてもそれぞれ同様の処理を行なうこととしてもよい。
【産業上の利用可能性】
【００３５】
ラジオ付き携帯電話機において、受信周波数を簡易にプリセットして、ラジオ放送を受信するための技術として利用できる。
【図面の簡単な説明】
【００３６】
【図１】本発明の実施の形態における携帯電話機１００の構成を示す機能ブロック図である。
【図２】国別周波数範囲対応テーブルの具体例を示す。
【図３】プリセット周波数登録テーブルの具体例を示す。
【図４】制御部１０５の行なうラジオ放送受信前処理の動作を示すフローチャートである。
【図５】制御部１０５の行なうオートプリセット処理の動作を示すフローチャートである。
【図６】制御部１０５の行なうラジオ放送受信処理の動作を示すフローチャートである。
【符号の説明】
【００３７】
１００    携帯電話機
１０１    アンテナ
１０２    無線部
１０３    操作部
１０４    表示部
１０５    制御部
１０６    メモリ
１０７    音声処理部
１０８    マイク
１０９    スピーカ
１１０    イヤホンジャック
１１１    イヤホン
【図１】
2005223701.tif 000003
【図２】
2005223701.tif 000004
【図３】
2005223701.tif 000005
【図４】
2005223701.tif 000006
【図５】
2005223701.tif 000007
【図６】
2005223701.tif 000008